(57)【要約】【課題】従来の情報処理装置においては、ソフトウェアの設定についての変更が行われた場合に、これらの変更を適切に出力できないという課題があった。【解決手段】ソフトウェアの設定情報が格納され得る設定情報格納部１０１と、設定情報のうちの、管理対象となる設定情報を指定する管理対象指定情報が格納され得る指定情報格納部１０２と、設定情報に対する変更指示を受け付ける変更指示受付部１０３と、変更指示に応じて、当該変更指示に対応した設定情報に対して変更を行う変更処理部１０４と、設定情報格納部１０１に格納されている設定情報のうちの、管理対象指定情報により管理対象として指定されている設定情報に対して行われた変更を検出する変更検出部１０５と、変更検出部１０５が検出した変更を示す情報を出力する出力部１０６とを備えた。【選択図】図１
2009295118.tif 000002
【特許請求の範囲】
【請求項１】
ソフトウェアの設定に関する情報である１以上の設定情報が格納され得る設定情報格納部と、
前記設定情報格納部に格納されている１以上の設定情報のうちの、管理対象となる設定情報を指定する情報である管理対象指定情報が格納され得る指定情報格納部と、
前記設定情報格納部に格納されている設定情報に対する変更指示を受け付ける変更指示受付部と、
前記変更指示受付部が受け付けた変更指示に応じて、当該変更指示に対応した前記設定情報格納部に格納されている前記設定情報に対して変更を行う変更処理部と、
前記設定情報格納部に格納されている設定情報のうちの、前記管理対象指定情報により管理対象として指定されている設定情報に対して行われた変更を検出する変更検出部と、
前記変更検出部が検出した変更を示す情報を出力する出力部とを備えた情報処理装置。
【請求項２】
前記設定情報は、アカウントポリシーの設定情報、パスワードポリシーの設定情報、シングルサインオンの許可についての設定情報、利用者アカウントの設定情報、ログ取得のポリシーの設定情報のうちの少なくとも１以上を含む請求項１記載の情報処理装置。
【請求項３】
前記出力部は、前記変更を示す情報を、予め指定されたタイミングに、予め指定された送信先に、電子メールで送信する請求項１または請求項２記載の情報処理装置。
【請求項４】
前記指定情報格納部に格納されている管理対象指定情報についての変更指示を受け付ける指定情報変更受付部と、
前記指定情報変更受付部が受け付けた変更指示に応じて、前記指定情報格納部に格納されている管理対象情報を変更する指定情報変更処理部とをさらに備えた請求項１から請求項３いずれか記載の情報処理装置。
【請求項５】
前記１以上の設定情報は、それぞれテーブルを構成しており、
前記設定情報格納部に格納されている設定情報に対応して設けられたテーブルであって、対応する設定情報から削除されたレコードが蓄積され得るテーブルである削除テーブルが格納され得る削除テーブル格納部を更に備え、
前記変更処理部は、前記設定情報格納部に格納されている設定情報についての１以上のレコードを削除する前記変更指示に応じて、当該削除の対象となるレコードを、当該レコードを含む設定情報に対応する前記削除テーブルに蓄積し、当該削除の対象となるレコードを、前記設定情報格納部に格納されている設定情報から削除する請求項１から請求項４いずれか記載の情報処理装置。
【請求項６】
ソフトウェアの設定に関する情報である１以上の設定情報が格納され得る設定情報格納部と、前記設定情報格納部に格納されている１以上の設定情報のうちの、管理対象となる設定情報を指定する情報である管理対象指定情報が格納され得る指定情報格納部と、変更指示受付部と、変更処理部と、変更検出部と、出力部とを用いて行われる情報処理方法であって、
前記変更指示受付部が、前記設定情報格納部に格納されている設定情報に対する変更指示を受け付ける変更指示受付ステップと、
前記変更処理部が、前記変更指示受付ステップで受け付けた変更指示に応じて、当該変更指示に対応した前記設定情報格納部に格納されている前記設定情報に対して変更を行う変更処理ステップと、
前記変更検出部が、前記設定情報格納部に格納されている設定情報のうちの、前記管理対象指定情報により管理対象として指定されている設定情報に対して行われた変更を検出する変更検出ステップと、
前記出力部が、前記変更検出ステップで検出した変更を示す情報を出力する出力ステップとを備えた情報処理方法。
【請求項７】
前記１以上の設定情報は、それぞれテーブルを構成しており、
前記設定情報格納部に格納されている設定情報に対応して設けられたテーブルであって、対応する設定情報から削除されたレコードが蓄積され得るテーブルである削除テーブルが格納され得る削除テーブル格納部を更に用いて行われる情報処理方法であって、
前記変更処理ステップは、前記変更処理部が、前記設定情報格納部に格納されている設定情報についての１以上のレコードを削除する前記変更指示に応じて、当該削除の対象となるレコードを、当該レコードを含む設定情報に対応する前記削除テーブルに蓄積し、当該削除の対象となるレコードを、前記設定情報格納部に格納されている設定情報から削除する請求項６記載の情報処理方法。
【請求項８】
コンピュータを、
設定情報格納部に格納されているソフトウェアの設定に関する情報である１以上の設定情報に対する変更指示を受け付ける変更指示受付部と、
前記変更指示受付部が受け付けた変更指示に応じて、当該変更指示に対応した前記設定情報格納部に格納されている前記設定情報に対して変更を行う変更処理部と、
前記設定情報格納部に格納されている設定情報のうちの、指定情報格納部に格納されている管理対象となる設定情報を指定する情報である管理対象指定情報により管理対象として指定されている設定情報に対して行われた変更を検出する変更検出部と、
前記変更検出部が検出した変更を示す情報を出力する出力部として機能させるためのプログラム。
【請求項９】
前記１以上の設定情報は、それぞれテーブルを構成しており、
前記変更処理部は、前記設定情報格納部に格納されている設定情報についての１以上のレコードを削除する前記変更指示に応じて、当該削除の対象となるレコードを、削除テーブル格納部に格納された、当該レコードを含む設定情報に対応して設けられたテーブルであって、当該削除されたレコードが蓄積されうるテーブルである削除テーブルに蓄積し、当該削除の対象となるレコードを、前記設定情報格納部に格納されている設定情報から削除する請求項８記載のプログラム。
【発明の詳細な説明】
【技術分野】
【０００１】
本発明は、ソフトウェアの設定情報に対する変更を処理する情報処理装置等に関するものである。
【背景技術】
【０００２】
従来の情報処理装置として、会社のリスクに対する統制を評価する処理を、文書化された一覧を用いて実行し、全プロセスについて統合評価を行うものが知られていた。（例えば、特許文献１参照）。
【特許文献１】特開２００７−１８３８０７号公報（第１頁、第１図等）
【発明の開示】
【発明が解決しようとする課題】
【０００３】
しかしながら、従来の情報処理装置においては、業務システム等の会社の業務に用いられるソフトウェア等についての設定について、更新や削除等の変更が行われた場合、これらの変更に応じた適切な処理が行えないという課題があった。このため、設定の変更により生じ得るリスクを適切に検知することができなかった。
【０００４】
例えば、ソフトウェアの設定について変更が行われた場合においても、予めソフトウェアのどのような設定に対して変更が行われた場合に、その変更に関する情報を出力するか等を、詳細かつ容易に指定することができなかった。このため、システムの管理者等にソフトウェアの設定の変更について適切に知らせることができないという課題があった。例えば、ソフトウェアの全ての設定の変更を、管理者等に通知するようにした場合、重要度の低い設定の変更等も通知されることとなり、設定の変更内容の確認に時間がかかるとともに、処理量が増えて確認漏れの原因となりうる。また、ソフトウェアについての設定がユーザ等により変更された場合において、その変更が通知されない場合、管理者による変更の発生や変更内容の確認が遅れてしまい、変更内容が適切なものでない場合、ソフトウェアが適切に運用されていることを保証することができなくなってしまう。このような場合においては、監査等において、システム自体が正常に運用されていたか否かを保証することが難しくなり、その結果、ソフトウェアに入力されたデータやソフトウェアにより処理されたデータ等の信頼性が保証されなくなってしまう恐れがあった。
【０００５】
また、通常、ソフトウェアの設定についてデータの削除が行われる際には、削除されたデータは、削除されたことを示すデータが付与されるだけで、新たなデータが上書きされるまでは、実際には削除されないことが多い。このため、設定データの追加や削除が繰り返されると、設定のデータのサイズが肥大化してしまい、設定を参照する際の処理速度等が低下してしまうという課題があった。一方で、削除されたデータをその場で削除してしまうと、後から、どのようなデータが削除されたかを確認したり調べたりすることができない、という課題があった。従って、問題が生じた場合の原因究明等が適切に行えないことが考えられる。
【課題を解決するための手段】
【０００６】
本発明の情報処理装置は、ソフトウェアの設定に関する情報である１以上の設定情報が格納され得る設定情報格納部と、前記設定情報格納部に格納されている１以上の設定情報のうちの、管理対象となる設定情報を指定する情報である管理対象指定情報が格納され得る指定情報格納部と、前記設定情報格納部に格納されている設定情報に対する変更指示を受け付ける変更指示受付部と、前記変更指示受付部が受け付けた変更指示に応じて、当該変更指示に対応した前記設定情報格納部に格納されている前記設定情報に対して変更を行う変更処理部と、前記設定情報格納部に格納されている設定情報のうちの、前記管理対象指定情報により管理対象として指定されている設定情報に対して行われた変更を検出する変更検出部と、前記変更検出部が検出した変更を示す情報を出力する出力部とを備えた情報処理装置である。
【０００７】
かかる構成により、予め指定したソフトウェアの設定についての変更が行われた場合に、変更を示す情報を出力することができ、ソフトウェアの設定についての変更を適切に出力することができる。この結果、例えば、設定変更により生じ得るリスクについてのレポートを、適切に通知することが可能となる。
【０００８】
また、本発明の情報処理装置は、前記情報処理装置において、前記設定情報は、アカウントポリシーの設定情報、パスワードポリシーの設定情報、シングルサインオンの許可についての設定情報、利用者アカウントの設定情報、ログ取得のポリシーの設定情報のうちの少なくとも１以上を含む情報処理装置である。
【０００９】
かかる構成により、予め指定したソフトウェアの設定についての変更が行われた場合に、変更を示す情報を出力することができ、ソフトウェアの設定についての変更を適切に出力することができる。
【００１０】
また、本発明の情報処理装置は、前記情報処理装置において、前記出力部は、前記変更を示す情報を、予め指定されたタイミングに、予め指定された送信先に、電子メールで送信する情報処理装置である。
【００１１】
かかる構成により、ソフトウェアの設定についての変更が行われた場合に、予め指定した送信先に、変更が行われたことを電子メールで通知することができる。
【００１２】
また、本発明の情報処理装置は、前記情報処理装置において、前記指定情報格納部に格納されている管理対象指定情報についての変更指示を受け付ける指定情報変更受付部と、前記指定情報変更受付部が受け付けた変更指示に応じて、前記指定情報格納部に格納されている管理対象情報を変更する指定情報変更処理部とをさらに備えた情報処理装置である。
【００１３】
かかる構成により、変更が行われた場合に、変更を示す情報を出力する対象となるソフトウェアを、容易に指定することができる。
【００１４】
また、本発明の情報処理装置は、前記情報処理装置において、前記１以上の設定情報は、それぞれテーブルを構成しており、前記設定情報格納部に格納されている設定情報に対応して設けられたテーブルであって、対応する設定情報から削除されたレコードが蓄積され得るテーブルである削除テーブルが格納され得る削除テーブル格納部を更に備え、前記変更処理部は、前記設定情報格納部に格納されている設定情報についての１以上のレコードを削除する前記変更指示に応じて、当該削除の対象となるレコードを、当該レコードを含む設定情報に対応する前記削除テーブルに蓄積し、当該削除の対象となるレコードを、前記設定情報格納部に格納されている設定情報から削除する情報処理装置である。
【００１５】
かかる構成により、設定情報のデータの増大を防いで、データ処理時の不具合や処理能力の低下等を防ぐことができる。さらに、削除されたレコードを、削除テーブルに蓄積するようにしたことで、各設定情報について、削除されたレコードの確認が可能となる。
【発明の効果】
【００１６】
本発明による情報処理装置等によれば、ソフトウェアの設定についての変更が行われた場合に、これらの変更を適切に出力することができる。
【００１７】
また、本発明による情報処理装置等によれば、ソフトウェアの設定について削除が行われた場合においても、設定についてのデータの肥大化を防ぐとともに、削除された設定についてのデータの参照が可能となる。
【発明を実施するための最良の形態】
【００１８】
以下、情報処理装置等の実施形態について図面を参照して説明する。なお、実施の形態において同じ符号を付した構成要素は同様の動作を行うので、再度の説明を省略する場合がある。
【００１９】
（実施の形態１）
図１は、本実施の形態における情報処理装置のブロック図である。
情報処理装置１は、設定情報格納部１０１、指定情報格納部１０２、変更指示受付部１０３、変更処理部１０４、変更検出部１０５、出力部１０６、指定情報変更受付部１０７、および指定情報変更処理部１０８を具備する。
【００２０】
設定情報格納部１０１には、１以上のソフトウェアの設定に関する情報である１以上の設定情報が格納され得る。一以上のソフトウェアはどのようなソフトウェアであっても良い。一以上のソフトウェアは、例えばアプリケーションソフトウェアである。ここでは、特に、ソフトウェアが、例えば、会計や、販売や、人事等の企業等の業務に用いられる業務システムとして機能するソフトウェアである場合を例に挙げて説明する。このソフトウェアは、情報処理装置１が実行しても良いし、情報処理装置１以外の装置が実行しても良い。設定情報とは、ソフトウェアのユーザや管理者等が変更可能な、ソフトウェアに予め指定されている情報であって、ソフトウェアの動作を指定するための情報である。ソフトウェアによる処理はこの設定情報に従って実行される。設定情報とは、具体的には、いわゆる環境設定や、初期設定等の情報である。
【００２１】
設定情報は、例えば、ソフトウェアの動作に関するもの（ルール）と、ユーザ入力データに関するもの（ルール）とに分類することができる。ソフトウェアの動作に関するものは、例えば、ソフトウェアについての、シングルサインオンの許可についての設定情報、利用者アカウントの設定情報、ログ取得のポリシーの設定情報等である。また、ユーザ入力データに関するものは、例えば、アカウントポリシーの設定情報、パスワードポリシーの設定情報等である。設定情報は、例えば、これらのうちの少なくとも一つ以上を含むものである。また、設定情報には、例えば、ソフトウェアの動作に関するものと、ユーザ入力データに関するものとが混在していてもよい。なお、ここで述べる設定情報は、具体的には、システムの根幹についての設定の情報である。
【００２２】
アカウントポリシーの設定情報とは、ソフトウェアのログイン等に用いられるユーザアカウントに関するルールを指定する設定情報である。アカウントポリシーの設定情報は、例えば、ソフトウェアにアカウントを用いてログイン等を行う際に、パスワードの入力ミスの回数の上限を指定する設定情報である。この入力ミスの回数の上限を、上回る回数の入力ミスがあった場合、そのアカウントによるログインができなくなる。また、アカウントに用いられる文字の文字数や、文字の属性等を指定する情報であっても良い。
【００２３】
パスワードポリシーの設定情報とは、ソフトウェアのログイン等に利用されるパスワードに関するルールを指定する情報である。パスワードポリシーの設定情報は、例えば、パスワードの入力要件の複雑さや、有効期限等を指定する設定情報である。
【００２４】
シングルサインオンの許可についての設定情報とは、例えば、ソフトウェアが、それぞれがログオンの必要な複数のソフトウェアの集合体である場合や、複数の機能について、ログオンによる制限がかけられている場合においては、シングルサインオンによって、どのソフトウェアの利用を可能とするか、あるいはどの機能の利用を可能とするかを指定する設定情報である。言い換えれば、シングルサインオンによりログオン可能なソフトウェアおよび機能を指定する設定情報である。
【００２５】
利用者アカウントの設定情報とは、利用者アカウント別の権限を設定する設定情報である。具体的には、管理者のアカウントに対して許可されている権限を指定する情報や、一般ユーザのアカウントに対して許可されている権限を指定する情報等を指定する情報である。
【００２６】
ログ取得のポリシーの設定情報とは、ログ取得の対象を設定する設定情報である。このログ取得の対象は、ソフトウェアが実行する処理であっても良いし、ソフトウェアに対して行われる設定情報の変更等の処理であっても良い。
【００２７】
設定情報は、通常は、テーブルを構成しているが、本実施の形態においては、かならずしもテーブルを構成していなくても良い。例えばＸＭＬ等の構造化データを構成していても良い。設定情報格納部１０１は、不揮発性の記録媒体が好適であるが、揮発性の記録媒体でも実現可能である。
【００２８】
指定情報格納部１０２は、設定情報格納部１０１に格納されている１以上の設定情報のうちの、後述する変更検出部１０５による管理対象となる設定情報を指定する情報である管理対象指定情報が格納され得る。例えば、管理対象指定情報は、設定情報を識別するための情報である設定識別情報と、管理対象とするか否かを指定するための情報である管理対象判断情報とを対応付けた情報である。管理対象指定情報は、例えば、一の設定識別情報と、これに対応付けられた管理対象判断情報とが、一のレコードで管理される情報である。管理対象判断情報は、例えば、いわゆるフラグ等と呼ばれる情報が利用可能である。ただし、管理対象指定情報は、結果として、管理対象となる設定識別情報を指定できる情報であればよい。例えば、管理対象となる設定情報の設定識別情報だけを、管理対象指定情報としても良い。この場合、管理対象指定情報以外の設定識別情報に対応する設定情報は、管理対象でない設定情報となる。なお、設定情報を管理対象に指定する情報は、設定情報を、当該設定情報に対して行われた変更を示す情報を、後述する出力部１０６から出力する対象に指定する情報と考えても良い。指定情報格納部１０２は、不揮発性の記録媒体が好適であるが、揮発性の記録媒体でも実現可能である。
【００２９】
変更指示受付部１０３は、設定情報格納部１０１に格納されている設定情報に対する変更指示を受け付ける。変更指示は、例えば、設定情報の上書きや、削除、追加、レコードの追加、レコードの削除等の変更を指示する情報や、この情報と変更対象となる設定情報を指定する情報とを組み合わせた情報等である。変更指示受付部１０３は、例えば、受け付けた変更指示に応じて、変更処理部１０４に設定情報を変更する命令等を出力するようにしてもよい。また、変更指示受付部１０３は、受け付けた変更指示に応じて、変更検出部１０５に変更対象となる設定情報を示す情報を出力するようにしてもよい。また、変更指示受付部１０３は、受け付けた変更指示に応じて、出力部１０６に変更内容を示す情報等を出力するようにしてもよい。ここで述べる受付とは、例えば、入力手段からの受付や、他の機器等から送信される入力信号の受信や、記録媒体等からの情報の読み出し等である。変更指示の入力手段は、テンキーやキーボードやマウスやメニュー画面によるもの等、何でも良い。変更指示受付部１０３は、テンキーやキーボード等の入力手段のデバイスドライバーや、メニュー画面の制御ソフトウェア等で実現され得る。
【００３０】
変更処理部１０４は、変更指示受付部１０３が受け付けた変更指示に応じて、当該変更指示に対応した設定情報格納部１０１に格納されている設定情報に対して変更を行う。例えば、変更指示受付部１０３から送信される命令に従って、当該命令が指定する設定情報格納部１０１に格納されている設定情報に対して、命令が指定する変更を行う。ここで行われる変更は、設定情報の上書きや、削除、追加、レコードの追加、レコードの削除等である。変更処理部１０４は、通常、ＭＰＵやメモリ等から実現され得る。変更処理部１０４の処理手順は、通常、ソフトウェアで実現され、当該ソフトウェアはＲＯＭ等の記録媒体に記録されている。但し、ハードウェア（専用回路）で実現しても良い。
【００３１】
変更検出部１０５は、設定情報格納部１０１に格納されている設定情報のうちの、指定情報格納部１０２に格納されている管理対象指定情報により管理対象として指定されている設定情報に対して行われた変更を検出する。
【００３２】
変更検出部１０５は、管理対象指定情報により管理対象として指定されている設定情報に対して行われた変更をどのように検出してもよい。例えば、変更処理部１０４が、設定情報に対して変更の処理を行う際に、変更の対象となる設定情報を指定する情報である上述した設定識別情報を変更検出部１０５等に対して出力するようにし、変更検出部１０５は、変更処理部１０４が出力した設定識別情報が示す設定情報が、管理対象指定情報が管理対象として指定する設定情報のいずれかと一致するか否か判断し、一致する場合、管理対象として指定されている設定情報に対して行われたことを検出する。具体的には、変更検出部１０５は、変更処理部１０４から出力される設定識別情報が、管理対象として指定されている設定情報の設定識別情報であるか否かを、指定情報格納部１０２に格納されている管理対象指定情報を用いて判断する。そして、管理対象として指定されている設定情報の設定識別情報である場合、変更処理部１０４により行われる変更が、管理対象として指定されている設定情報に対して行われた変更であることを検出、即ち判断する。より具体的には、管理対象指定対象情報が、上述したように設定識別情報と管理対象判断情報とを対応付けた情報である場合、管理対象指定情報に含まれる設定識別情報の中から、変更処理部１０４から出力される設定識別情報に一致する設定識別情報を検索し、検出された設定識別情報に対応付けられている管理対象判断情報が、管理対象であることを指定する情報であった場合、この設定識別情報に対応する設定情報が管理対象であると判断する。そして、変更処理部１０４により行われる変更が、管理対象指定情報により管理対象として指定されている設定情報に対して行われた変更であることを検出する。
【００３３】
また、設定情報格納部１０１に格納されている一以上の設定情報について、それぞれの変更の履歴、例えばどの時刻にどの情報が変更されたかを示す情報を、変更処理部等が、定期的に保存しておくようにして、変更検出部１０５が、定期または不定期の所定のタイミングで、この履歴の情報から変更された設定情報を検出し、変更された設定情報が、管理対象指定情報において管理対象として指定されている設定情報であるかを判断し、管理対象として指定されている設定情報であった場合に、管理対象として指定されている設定情報に対して変更が行われたことを検出する。
【００３４】
また、変更検出部１０５は、設定情報格納部１０１に格納されている設定情報のうちの、指定情報格納部１０２に格納されている管理対象指定情報で管理対象に指定されている設定情報に対して行われる変更、例えばレコードやファイルの更新等を監視するようにしても良い。
【００３５】
また、例えば、変更指示受付部１０３が、設定情報に対しする変更指示を受け付けた場合に、変更の対象となる設定情報を指定する情報である上述した設定識別情報を変更検出部１０５等に対して出力するようにし、変更検出部１０５は、変更指示受付部１０３が出力した設定識別情報が示す設定情報が、管理対象指定情報が管理対象として指定する設定情報のいずれかと一致するか否か判断し、一致する場合、管理対象として指定されている設定情報に対して行われたことを検出するようにしてもよい。
【００３６】
なお、変更検出部１０５は、設定情報以外の、アカウントの追加や、パスワード等の変更自体を検出するものではないことはいうまでもない。
【００３７】
変更検出部１０５は、通常、ＭＰＵやメモリ等から実現され得る。変更検出部１０５の処理手順は、通常、ソフトウェアで実現され、当該ソフトウェアはＲＯＭ等の記録媒体に記録されている。但し、ハードウェア（専用回路）で実現しても良い。
【００３８】
出力部１０６は、変更検出部１０５が検出した変更を示す情報を出力する。出力部１０６が出力する変更を示す情報は、変更を示すことができればどのような情報であってもよく、変更内容でも良いし、変更が行われたことを示す情報でも良い。具体的には、変更検出部１０５が検出した、変更が行われた設定情報の設定識別情報や、変更の行われた時刻を示す情報や、どのような変更が行われたかを示す情報や、削除や追加された文字列等の変更が行われた内容を示す情報や、これらの組み合わせであっても良い。出力部１０６が出力する変更を示す情報は、いわゆるログ等の情報であってもよい。変更検出部１０５が検出した変更を示す情報は、変更検出部１０５が検出した変更に関する情報、あるいは変更内容の詳細を示す情報と考えても良い。
【００３９】
出力部１０６が、変更を示す情報をどのように取得するかは問わない。例えば、変更処理部１０４が、変更処理を行う時に、これらの変更処理等の内容を含む情報を出力するようにし、この情報を出力部１０６が取得して出力するようにしてもよい。例えば、変更指示受付部１０３が、変更指示を受け付けた場合に、これらの変更指示が示す変更すべき内容を含む情報を出力するようにし、この情報を出力部１０６が取得して出力するようにしてもよい。また、このような変更処理部１０４や変更指示受付部１０３が出力する情報から、出力部１０６が必要な情報を取得して出力するようにしてもよい。また、出力部１０６が、設定情報の履歴を示す情報等から変更を示す情報を取得して、出力しても良い。また、変更の行われた時刻の情報は、図示しない時計等の計時手段等から直接取得して出力するようにしても良いし、変更時に、変更検出部１０５が計時手段等から取得した時刻の情報を取得しても良い。また、出力部１０６は、変更を示す情報を、予め指定されたタイミングで、予め指定された送信先に、電子メールで送信するようにしてもよい。電子メールで送信する場合、変更を示す情報を、電子メールに添付して送信してもよいし、電子メールの本文として送信しても良い。具体的には、出力部１０６は、予め指定されたタイミングまで、変更を示す情報を図示しない記憶媒体等に蓄積しておき、予め指定されたタイミングで送信する。予め指定されたタイミングは、一定のタイミングであっても、ランダムなタイミングであってもよい。また、なんらかの処理をトリガーとしても良い。電子メールの送信先は、図示しない記憶媒体等に予め記憶しておき、送信時に取得するようにする。送信先は問わない。例えば、送信先は、ソフトウェアの管理者等を含むことが好ましい。ここで述べる出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。
【００４０】
出力部１０６は、ディスプレイやプリンタ等の出力デバイスを含むと考えても含まないと考えても良い。出力部１０６は、出力デバイスのドライバーソフトまたは、出力デバイスのドライバーソフトと出力デバイス等で実現され得る。
【００４１】
指定情報変更受付部１０７は、指定情報格納部１０２に格納されている管理対象指定情報についての変更指示を受け付ける。具体的には、この変更指示は、管理対象指定情報において管理されている、設定情報格納部１０１に格納されている一以上の設定情報に対する、管理対象となる設定情報としての指定を変更する指示である。ここで述べる受付とは、例えば、入力手段からの受付や、他の機器等から送信される入力信号の受信や、記録媒体等からの情報の読み出し等である。変更指示の入力手段は、テンキーやキーボードやマウスやメニュー画面によるもの等、何でも良い。指定情報変更受付部１０７は、テンキーやキーボード等の入力手段のデバイスドライバーや、メニュー画面の制御ソフトウェア等で実現され得る。
【００４２】
指定情報変更処理部１０８は、指定情報変更受付部１０７が受け付けた変更指示に従って、指定情報格納部１０２に格納されている管理対象情報を変更する。具体的には、指定情報変更処理部１０８は、管理対象指定情報により指定される、設定情報格納部１０１に格納されている一以上の設定情報が管理対象であるか否かを示す属性を、変更指示に応じて変更する。例えば、指定情報変更処理部１０８は、管理対象指定情報内の、変更指示が示す設定情報に対応する管理対象判断情報の値を変更する。指定情報変更処理部１０８は、通常、ＭＰＵやメモリ等から実現され得る。指定情報変更処理部１０８の処理手順は、通常、ソフトウェアで実現され、当該ソフトウェアはＲＯＭ等の記録媒体に記録されている。但し、ハードウェア（専用回路）で実現しても良い。
【００４３】
次に、情報処理装置の動作について図２のフローチャートを用いて説明する。
【００４４】
（ステップＳ２０１）変更指示受付部１０３は、変更指示を受け付けたか否かを判断する。受け付けた場合、ステップＳ２０２に進み、受け付けていない場合、ステップＳ２０９に進む。
【００４５】
（ステップＳ２０２）変更処理部１０４は、ステップＳ２０１において受け付けた変更指示に応じて、設定情報格納部１０１に格納されている設定情報を変更する。例えば、設定情報の一部の情報を書き換えたり、削除したり、追加したりする。
【００４６】
（ステップＳ２０３）変更処理部１０４は、ステップＳ２０２において変更した設定情報を示す設定識別情報と、変更内容を示す情報等を出力する。
【００４７】
（ステップＳ２０４）変更検出部１０５は、ステップＳ２０３において変更処理部１０４が出力した設定識別情報と、指定情報格納部１０２に格納されている管理対象指定情報とを用いて、管理対象となる設定情報に対する変更が行われたか否かを検出する。例えば、ステップＳ２０３において、変更処理部１０４が出力した設定識別情報が示す設定情報が、管理対象指定情報が管理対象として指定する設定情報のいずれかと一致するか否かを判断し、一致する場合、管理対象の設定情報に対する変更が行われたことを検出し、一致しない場合、変更が行われていないことを検出する。変更が行われたことを検出した場合、ステップＳ２０５に進み、変更が行われていないことを検出した場合、ステップＳ２０１に戻る。
【００４８】
（ステップＳ２０５）出力部１０６は、管理対象に対して変更が行われたことを示す情報を、ステップＳ２０３において変更処理部１０４が出力した変更内容を示す情報等から取得して、図示しないハードディスク等の記憶媒体に蓄積する。
【００４９】
（ステップＳ２０６）出力部１０６は、所定のタイミングであるか否かを判断する。例えば、予め指定した時刻や、曜日、日時等であるか否かを判断する。そして、所定のタイミングである場合、ステップＳ２０７に進み、所定のタイミングでない場合、ステップＳ２０１に戻る。
【００５０】
（ステップＳ２０７）出力部１０６は、ステップＳ２０６により、変更を示す情報が図示しない記録媒体等に蓄積されているか否かを判断する。蓄積されている場合、ステップＳ２０８に進み、蓄積されていない場合、ステップＳ２０１に戻る。
【００５１】
（ステップＳ２０８）出力部１０６は、ステップＳ２０６において蓄積された、変更を示す情報を読み出す。また、出力部１０６は、予め図示しない記憶媒体等に蓄積される送信先のメールアドレスの情報を取得する。そして、取得したメールアドレスに対して、読み出した変更を示す情報を電子メールで送信する。そして、ステップＳ２０１に戻る。なお、送信済みの変更を示す情報については、送信済みであることを示すフラグ等の情報を付与するようにし、このフラグが付加された情報については、再度の電子メール送信を行わないようにすることが好ましい。
【００５２】
（ステップＳ２０９）指定情報変更受付部１０７は、指定情報格納部１０２に格納されている管理対象指定情報についての変更指示を受け付けたか否かを判断する。受け付けた場合、ステップＳ２１０に進み、受け付けていない場合、ステップＳ２０６に進む。
【００５３】
（ステップＳ２１０）指定情報変更処理部１０８は、ステップＳ２０９において受け付けた管理対象指定情報についての変更指示に従って、指定情報格納部１０２に格納されている管理対象指定情報を変更する。そして、ステップＳ２０６に進む。
【００５４】
なお、図２のフローチャートにおいて、電源オフや処理終了の割り込みにより処理は終了する。
【００５５】
以下、本実施の形態における情報処理装置の具体的な動作について説明する。ここでは、業務システムを実現するソフトウェアについての設定情報が、予め設定情報格納部１０１に格納されているものとする。
【００５６】
図３は、設定情報格納部１０１に格納されている設定情報の一例を示す図である。ここでは、設定情報格納部１０１には、ソフトウェアについてのパスワードポリシー設定情報１０２１、アカウントポリシー設定情報１０２２、シングルサインオンの許可についての設定情報１０２３等が格納されているものとする。ここでは、各設定情報は異なるファイルを構成しているものとする。但し一のファイルを構成していても良い。
【００５７】
図４は、図３に示したパスワードポリシー設定情報の一例を示す図である。パスワードポリシー設定情報は、ソフトウェアのログイン等に利用されるパスワードに関するルールを指定する情報である。パスワードポリシー設定情報は、「ＩＤ」、「設定項目」、および「設定内容」という属性を有している。「ＩＤ」は、設定情報を構成するレコードを管理するための識別情報である。「設定項目」は、設定情報の設定可能な項目を示す情報である。「設定内容」は、各設定項目について設定される値である。
【００５８】
ここでは、最初に、ユーザがパスワードポリシー設定情報を変更する場合について説明する。まず、ユーザがマウス等を操作して、パスワードポリシー設定情報の入力インターフェース画面を情報処理装置のモニタ１０６ａに表示させる。モニタ１０６ａは、例えば出力部１０６の表示デバイスの一つであるとする。
【００５９】
次に、ユーザがマウスやキーボード等を操作して、例えば、入力インターフェース画面のうちの、パスワードの最小文字数を指定するフィールド５０の値を、初期値である「４」から、「８」に変更して、「ＯＫ」ボタン５１を押したとする。この操作に従って、変更指示受付部１０３は、パスワードポリシー設定情報の「最小文字数」という項目の値を、「８」に変更する指示を受け付ける。変更指示受付部１０３は、この指示に従って、パスワードポリシー設定情報の「最小文字数」という項目の値を、「８」に変更させる処理を実行させる命令を、変更処理部１０４に送信する。
【００６０】
図５はモニタ１０６ａに表示されたパスワードポリシー設定情報の入力インターフェース画面の一例を示す図である。
【００６１】
変更処理部１０４は、変更指示受付部１０３から送信される命令に従って、設定情報格納部１０１に格納されているパスワードポリシー設定情報１０２１の「最小文字数」という項目の値を、「８」に変更する処理を実行する。具体的には、図４に示したパスワードポリシー設定情報の、「設定項目」の値が「最小文字数」であるレコード、即ち「ＩＤ」が「００１」であるレコードの「設定内容」の値を「４」から「８」に書き換える。
【００６２】
また、変更処理部１０４は、「パスワードポリシー設定情報」という名称である設定情報の「最小文字数」という項目の値を、「８」に書き換えた処理結果を示す情報を出力する。この出力は、書き換えの処理を行う前に行っても良い。また、この情報は、変更処理部１０４の行った処理を記録するログに、上記のような処理内容を記録することを指示する命令の出力でも良い。また、ここでは、変更処理部１０４は、処理を行った時刻を示す情報を、図示しない時計等から取得し、この処理結果を示す情報内に含めて送信する。
【００６３】
図６は、指定情報格納部１０２に格納されている管理対象指定情報の一例を示す図である。管理対象指定情報は、「ＩＤ］と、「設定識別情報」と、「管理対象判断情報」という属性を有している。「ＩＤ」は、レコードを管理するための識別情報である。「設定識別情報」は、設定情報を識別するための情報であり、ここでは、設定情報名であるとする。「管理対象判断情報」は、同じレコードの「設定識別情報」が示す設定情報が管理対象であるか否かを指定する情報である。ここでは、値「必要」は管理対象であることを指定し、値「不要」は、管理対象でないことを指定するものとする。
【００６４】
変更検出部１０５は、変更処理部１０４が出力する処理結果を示す情報を受信し、この処理結果に含まれる、処理対象となった設定情報を示す情報である設定情報名を検索キーとして、図６に示した管理対象指定情報から、「設定識別情報」の値が、当該検索キーと一致するレコードを検索する。ここでは、処理結果に「パスワードポリシー設定情報」という設定情報名が含まれるため、変更検出部１０５は、「設定識別情報」の値が、「パスワードポリシー設定情報」に一致するレコードを検索する。ここでは、「ＩＤ」が「０１」であるレコードの「設定識別情報」の値が、「パスワードポリシー設定情報」であるため、このレコードが検出される。そして、変更検出部１０５は、このレコードの「管理対象判断情報」の値が、「必要」であるか否かを判断する。ここでは、「ＩＤ」が「０１」であるレコードの「管理対象判断情報」の値が、「必要」であるため、変更検出部１０５は、変更処理部１０４によって行われた変更が、管理対処指定情報により、管理対象に指定された設定情報についての変更であることを検出する。即ち、変更検出部１０５は、結果的に管理対象に指定された設定情報についての変更を検出したこととなる。そして、検出結果を出力部１０６に送信する。
【００６５】
出力部１０６は、変更検出部１０５の検出結果が、変更処理部１０４による設定情報に対する変更が、管理対処指定情報により管理対象に指定された設定情報に対する変更であることを示すものであるため、変更検出部１０５が検出した変更を示す情報を、図示しない記憶媒体等に蓄積する。ここでの変更を示す情報は、上述した変更された設定情報名と、変更された設定項目と、変更された設定内容と、変更日時を示す情報であるとする。出力部１０６が出力する変更を示す情報は、変更対象や変更日時等を示すいわゆるログと考えても良い。出力部１０６は、これらの情報を、ここでは例として、変更処理部１０４が出力する上述した処理結果を示す情報から取得する。
【００６６】
次に、図７に示すようなアカウントポリシー設定情報についての入力インターフェース等を介して、上記と同様に、ユーザがアカウントポリシー設定情報を変更する操作を行ったとする。この場合においても、変更指示受付部１０３が受け付けたユーザの指示に従って、変更処理部１０４により、アカウントポリシー設定情報１０２２に対する変更処理が行われる。
【００６７】
ここで、図６に示した管理対象指定情報のうちの、変更処理部１０４が処理対象としたアカウントポリシー設定情報の名称を、「設定識別情報」の値として有するレコードに含まれる「管理対象判断情報」の値は、「不要」であるため、変更検出部１０５は、変更処理部１０４により行われた変更が、管理対象指定情報により管理対象として指定されている設定情報に対して行われた変更ではないと判断する。即ち、管理対象指定情報により管理対象として指定されている設定情報に対して行われた変更であることを検出しない。
【００６８】
この結果、出力部１０６は、変更処理部１０４が処理したアカウントポリシー設定情報に対する変更についての情報は出力しない。
【００６９】
その後、上述したような設定情報に対する変更の処理等が繰り返され、予め指定した日時になったとする。例えば、予め、毎週水曜日の午後５時が指定されていたとすると、この日時になった時点で、出力部１０６は、予め図示しない格納部等に指定されているメールアドレスを読み出し、このメールアドレスを宛先に設定して、図示しない記憶媒体等に蓄積した設定情報に対する変更を示す情報を読み出し、電子メールで出力する。ここでは、メールアドレスの宛先は、ソフトウェアの管理者のメールアドレスであるとする。
【００７０】
これにより、予め指定された日時に、メールアドレスの宛先となるユーザ、例えば管理者に対して、管理対象指定情報により予め管理対象に指定しておいた設定情報に対して行われた変更を通知することができる。
【００７１】
図８は、送信された電子メールの表示例を示す図である。
【００７２】
次に、管理対象指定情報を変更する場合について説明する。まず、ユーザがマウス等を操作して、管理対象指定情報の入力インターフェース画面を情報処理装置のモニタ１０６ａに表示させる。
【００７３】
図９は、管理対象指定情報についての変更指示を受け付けるための入力インターフェース画面の一例を示す図である。
【００７４】
次に、ユーザがマウスやキーボード等を操作して、例えば、入力インターフェース画面のうちの、「シングルサインオン設定情報」とう設定情報名の横に位置するチェックボックスのうちの、「不要」の列のチェックボックス９１にチェックを入れたとする。これにより、「必要」の列のチェックボタン９０のチェックが外れるものとする。そして、「ＯＫ」ボタンを押したとする。指定情報変更受付部１０７は、この操作に応じて、変更されたチェックボックスに対応した管理対象指定情報を変更する指示を受け付ける。この変更の指示は、ここでは、変更されたチェックボックスに対応する設定情報についての、管理対象判断情報を、変更後のチェックボックスに対応した値に変更する指示であるとする。例えば、ここでの変更の指示は、「シングルサインオン設定情報」という設定情報についての、管理対象判断情報を「不要」に変更する指示である。
【００７５】
指定情報変更処理部１０８は、指定情報変更受付部１０７が受け付けた指示に応じて、指定情報格納部１０２に格納されている管理対象指定情報を変更する。ここでは、図６に示した管理対象指定情報において、「設定識別情報」の値が、「シングルサインオン設定情報」であるレコードを検索し、そのレコードの「管理対象判断情報」の値を「不要」に変更する。具体的には、図６における「ＩＤ」が「０３」であるレコードの「管理対象判断情報」の値を、「必要」から「不要」に変更する。
【００７６】
この結果、図３に示したシングルサインオン設定情報１０２３に対して変更が行われても、変更を示す情報が出力部１０６から出力されないようにすることができる。
【００７７】
なお、ここでは、チェックが変更されたチェックボックスに対応した設定情報の管理対象指定情報だけを変更するようにしたが、チェックが変更されていない全ての設定情報についての管理対象指定情報の管理対象判断情報を、入力インターフェースが示すチェック状況に対応した値で、上書きするようにしても良い。
【００７８】
以上、本実施の形態によれば、管理対象指定情報により管理対象に指定されている設定情報に対して行われた変更を選択的に検出し、この変更を示す情報を出力するようにしたことにより、管理対象指定情報を用いて、設定情報のそれぞれについて、変更が行われたことを示す情報を出力するか否かを指定することができる。この結果、予め指定したソフトウェアの設定についての変更が行われた場合に、これらの変更を、例えばシステムの管理者等に、適切に出力、例えば通知することができる。例えば、重要度が高く、定期的、あるいは変更が発生したタイミング等において変更状況を確認する必要があるソフトウェア等の設定について変更が行われた場合に、これらについての変更のみを、選択的に、システムの管理者に通知するようにし、重要度が低いものについては、特に通知しないようにすること等が可能となる。
【００７９】
また、本実施の形態によれば、例えば、システムの根幹となる動作や制限事項等について設定する情報である設定情報の変更をレポートすることができ、システム自体の設定の変更が行われたか否かや、どのような変更が行われたかをレポートしたり、記録したりすることができる。この結果、システムが正常に運用されていることを確認することができ、システムが内部監査等の監査の条件を満たしていることを保証することが可能となる。
【００８０】
（実施の形態２）
本実施の形態にかかる情報処理装置は、上述した情報処理装置において、変更処理部が、設定情報のレコードを削除した場合に、当該削除されたレコードを、設定情報から完全に削除するとともに、削除されたレコードを、設定情報に対応した他のテーブルに蓄積しておくようにしたものである。
【００８１】
図１０は、本実施の形態にかかる情報処理装置の構成を示す図である。
【００８２】
情報処理装置１ａは、設定情報格納部１０１ａ、指定情報格納部１０２、変更指示受付部１０３ａ、変更処理部１０４ａ、変更検出部１０５、出力部１０６、指定情報変更受付部１０７、指定情報変更処理部１０８および削除テーブル格納部１０９を備えている。
【００８３】
情報処理装置１ａにおいて、設定情報格納部１０１ａ、変更指示受付部１０３ａ、変更処理部１０４ａ、および削除テーブル格納部１０９以外の構成については、上記実施の形態１と同様の構成であるので説明は省略する。
【００８４】
設定情報格納部１０１ａは、格納されている１以上の設定情報が、それぞれテーブルを構成している点を除けば、設定情報格納部１０１ａは、上記実施の形態１と同様であるので、詳細な説明は省略する。なお、各設定情報のテーブルにおける各行を構成するデータをここではレコードと呼ぶ。レコードは設定情報の設定項目に対応したデータである。ただし、本実施の形態においては、実質的にテーブルとして扱われるものもテーブルと考える。
【００８５】
変更指示受付部１０３ａは、設定情報格納部１０１ａに格納されている設定情報の１以上のレコードを削除する指示を受け付け得る点を除けば、上記実施の形態１の変更指示受付部と同様であるので、詳細な説明は省略する。
【００８６】
削除テーブル格納部１０９には、設定情報格納部１０１ａに格納されている設定情報に対応して設けられたテーブルであって、対応する設定情報から削除されたレコードが蓄積され得るテーブルである削除テーブルが格納され得る。設定情報に対応して設けられた削除テーブルは、設定情報と必ずしも１対１で対応していなくてもよい。削除テーブル格納部１０９は、不揮発性の記録媒体が好適であるが、揮発性の記録媒体でも実現可能である。
【００８７】
変更処理部１０４ａは、設定情報格納部１０１に格納されている１以上の設定情報についての１以上のレコードを削除する変更指示に応じて、当該削除の対象となるレコードを、当該レコードを含む設定情報に対応する削除テーブルに蓄積し、当該削除の対象となるレコードを、設定情報格納部１０１に格納されている設定情報から削除する。削除の対象となるレコードを削除テーブルに蓄積する処理と、当該削除の対象となるレコードを設定情報から削除する処理との順番は問わない。ここで述べる削除とは、レコードの完全な削除であり、削除したレコードの位置を、他のレコードで詰める処理も含む処理である。従って、例えば、データを単に不可視としたり、他のデータが上書き可能な状態とする処理ではない。ただし、ここでの削除は、削除の指示を受け付けた際に、必ずしもリアルタイムに行われる必要はない。例えば、情報処理装置１ａの電源オフ時や、ソフトウェアの終了時や、他の主要な処理が行われていない時や、ユーザによる操作が行われていない時等に行われるようにしても良い。また、変更処理部１０４ａは、削除テーブル格納部１０９に、レコードを削除する設定情報に対応した削除テーブルが存在しない場合、レコードを削除する設定情報に対応した削除テーブルを新規に作成するようにしても良い。なお、これらの処理以外の処理については、上記実施の形態１の変更処理部と同様であるので、説明を省略する。変更処理部１０４ａは、通常、ＭＰＵやメモリ等から実現され得る。変更処理部１０４ａの処理手順は、通常、ソフトウェアで実現され、当該ソフトウェアはＲＯＭ等の記録媒体に記録されている。但し、ハードウェア（専用回路）で実現しても良い。
【００８８】
つぎに、本実施の形態の情報処理装置１ａの動作について、図１１のフローチャートを用いて説明する。なお、図１１のフローチャートにおいて、図２と同一符号のステップについては、同一または相当する処理が行われるものであり、ここでは説明を省略する。また、図２における設定情報格納部は設定情報格納部１０１ａに、変更指示受付部は変更指示受付部１０３ａに、変更処理部は、変更処理部１０４ａに、それぞれ読み替えられるものとする。
【００８９】
（ステップＳ１１０１）変更処理部１０４ａは、変更指示受付部１０３ａが受け付けた変更指示が、設定情報に対する１以上のレコードの削除の指示であるか否かを判断する。レコードの削除の指示である場合、ステップＳ１１０２に進み、レコードの削除の指示でない場合、ステップＳ２０２に進む。
【００９０】
（ステップＳ１１０２）変更処理部１０４ａは、ステップＳ１１０１で受け付けた変更指示が指定する削除対象のレコードを含む設定情報に対応した削除テーブルが、削除テーブル格納部１０９内に存在するか否かを判断する。存在しない場合、ステップＳ１１０３に進み、存在する場合、ステップＳ１１０４に進む。
【００９１】
（ステップＳ１１０３）変更処理部１０４ａは、ステップＳ１１０１で受け付けた変更指示が指定する削除対象のレコードを含む設定情報に対応した削除テーブルを、削除テーブル格納部１０９に作成する。そして、ステップＳ１１０４に進む。
【００９２】
（ステップＳ１１０４）変更処理部１０４ａは、変更指示が指定する削除対象のレコードを、設定情報格納部１０１ａに格納されている設定情報のテーブルから読み出し、当該削除対象のレコードを含む設定情報に対応した削除テーブルに蓄積する。
【００９３】
（ステップＳ１１０５）変更処理部１０４ａは、変更指示が指定する削除対象のレコードを、設定情報格納部１０１ａに格納されている設定情報のテーブルから完全に削除する。また、削除されたレコードが配置されていた位置を、削除されたレコードの次のレコード等で詰める処理をする。そして、ステップＳ２０３に進む。
【００９４】
なお、図１１のフローチャートにおいて、電源オフや処理終了の割り込みにより処理は終了する。
以下、本実施の形態の具体例について説明する。
【００９５】
例えば、上記実施の形態において図４に示したような、テーブルを構成している設定情報であるパスワードポリシー設定情報のうちの、３行目のレコード、即ち「ＩＤ」が「００２」であるレコードを削除する変更指示を、変更指示受付部１０３ａが受け付けたとする。
【００９６】
変更処理部１０４ａは、設定情報格納部１０１ａに格納されている設定情報のうちの、この変更指示が指定する設定情報であるパスワードポリシー設定情報の、「ＩＤ」が「００２」であるレコードの情報を読み出す。
【００９７】
さらに、変更指示が指定する設定情報であるパスワードポリシー設定情報に対応した削除テーブルが、削除テーブル格納部１０９に格納されているか否かを判断する。ここでは、格納されていなかったとすると、変更処理部１０４ａは、パスワードポリシー設定情報に対応した削除テーブルを新規に作成する。例えば設定情報と削除テーブルとの対応関係は、対応する設定情報と削除テーブルのそれぞれの識別情報、例えばファイル名等を、同じレコードの２つの属性として有する管理情報等を用いて管理される。そして、作成した削除テーブルに、パスワードポリシー設定情報から読み出した「ＩＤ」が「００２」であるレコードの情報を蓄積する。
【００９８】
図１２は、パスワードポリシー設定情報から読み出した「ＩＤ」が「００２」であるレコードの情報が格納された削除テーブルの一例を示す図である。削除テーブルの属性等は、対応する設定情報と同様のものを用いるようにしても良いし、さらに、削除された日時の情報等を示す属性値を付加するようにしてもよい。
【００９９】
さらに、変更処理部１０４ａは、図４に示したような設定情報格納部１０１ａに格納されているパスワードポリシー設定情報から、図４に示したような「ＩＤ」が「００２」であるレコードを削除し、当該削除したレコードの位置を、他のレコード、具体的には、削除したレコードの下のレコードで詰める処理を行う。
【０１００】
図１３は、上記の削除の結果得られたパスワードポリシー設定情報の例を示す図である。
【０１０１】
以上のように、本実施の形態によれば、テーブルを構成している設定情報のレコードを削除した場合に、レコードが削除されたことを示すフラグ等を付加せずに、レコードを完全に削除するようにしたことにより、テーブルのデータが削除や追加の繰り返し等により肥大化して、メモリへの読み込みの時間や、検索する際の時間が長くなってしまう等の、データ処理時の不具合や処理能力の低下が発生しないようにすることができる。さらに、削除されたレコードを、削除テーブルに蓄積するようにしたことで、各設定情報について、どのようなレコードが削除されたかを、後から確認することが可能となり、レコードの削除にともなうリスクを回避することが可能となる。
【０１０２】
なお、上記各実施の形態において、各処理（各機能）は、単一の装置（システム）によって集中処理されることによって実現されてもよく、あるいは、複数の装置によって分散処理されることによって実現されてもよい。
【０１０３】
また、上記各実施の形態において、一の装置に存在する２以上の通信手段（情報送信部など）は、物理的に一の媒体で実現されても良いことは言うまでもない。
【０１０４】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１０５】
また、上記各実施の形態では、情報処理装置がスタンドアロンである場合について説明したが、情報処理装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１０６】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１０７】
なお、上記各実施の形態における情報処理装置を実現するソフトウェアは、以下のようなプログラムである。つまり、このプログラムは、コンピュータを、設定情報格納部に格納されているソフトウェアの設定に関する情報である１以上の設定情報に対する変更指示を受け付ける変更指示受付部と、前記変更指示受付部が受け付けた変更指示に応じて、当該変更指示に対応した前記設定情報格納部に格納されている前記設定情報に対して変更を行う変更処理部と、前記設定情報格納部に格納されている設定情報のうちの、指定情報格納部に格納されている管理対象となる設定情報を指定する情報である管理対象指定情報により管理対象として指定されている設定情報に対して行われた変更を検出する変更検出部と、前記変更検出部が検出した変更を示す情報を出力する出力部として機能させるためのプログラムである。
【０１０８】
また、上記プログラムにおいて、前記１以上の設定情報は、それぞれテーブルを構成しており、前記変更処理部は、前記設定情報格納部に格納されている設定情報についての１以上のレコードを削除する前記変更指示に応じて、当該削除の対象となるレコードを、削除テーブル格納部に格納された、当該レコードを含む設定情報に対応して設けられたテーブルであって、当該削除されたレコードが蓄積されうるテーブルである削除テーブルに蓄積し、当該削除の対象となるレコードを、前記設定情報格納部に格納されている設定情報から削除するプログラムである。
【０１０９】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１１０】
また、このプログラムを実行するコンピュータは、単数であってもよく、複数であってもよい。すなわち、集中処理を行ってもよく、あるいは分散処理を行ってもよい。
【０１１１】
図１４は、上記プログラムを実行して、上記実施の形態による情報処理装置を実現するコンピュータの外観の一例を示す模式図である。上記実施の形態は、コンピュータハードウェア及びその上で実行されるコンピュータプログラムによって実現されうる。
【０１１２】
図１４において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１１３】
図１５は、コンピュータシステム９００の内部構成を示す図である。図１５において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１１４】
コンピュータシステム９００に、上記実施の形態による情報処理装置の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１１５】
プログラムは、コンピュータ９０１に、上記実施の形態による情報処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１１６】
本発明は、以上の実施の形態に限定されることなく、種々の変更が可能であり、それらも本発明の範囲内に包含されるものであることは言うまでもない。
【産業上の利用可能性】
【０１１７】
以上のように、本発明にかかる情報処理装置等は、ソフトウェアの設定情報に対する変更を処理する情報処理装置として適しており、特に、ソフトウェアの設定情報に対して行われた変更について出力を行う情報処理装置等として有用である。
【図面の簡単な説明】
【０１１８】
【図１】本発明の実施の形態１における情報処理装置のブロック図
【図２】同情報処理装置の動作について説明するフローチャート
【図３】同情報処理装置の動作を説明するための、設定情報の一例を示す図
【図４】同情報処理装置の動作を説明するための、パスワードポリシー設定情報を示す図
【図５】同情報処理装置の動作を説明するための、パスワードポリシー設定情報の入力インターフェース画面の表示例を示す図
【図６】同情報処理装置の動作を説明するための、管理対象指定情報の一例を示す図
【図７】同情報処理装置の動作を説明するための、アカウントポリシー設定情報の入力インターフェース画面の表示例を示す図
【図８】同情報処理装置の動作を説明するための、電子メールの表示例を示す図
【図９】同情報処理装置の動作を説明するための、管理対象指定情報についての変更指示を受け付けるための入力インターフェース画面の一例を示す図
【図１０】本発明の実施の形態２にかかる情報処理装置の構成を示すブロック図
【図１１】同情報処理装置の動作について説明するフローチャート
【図１２】同情報処理装置の動作を説明するための、削除テーブルの一例を示す図
【図１３】同情報処理装置の動作を説明するための、パスワードポリシー設定情報の一例を示す図
【図１４】本発明の各実施の形態による情報処理装置を実現するコンピュータの外観の一例を示す模式図
【図１５】同情報処理装置を実現するコンピュータの内部構成の一例を示す図
【符号の説明】
【０１１９】
１、１ａ  情報処理装置
１０１、１０１ａ  設定情報格納部
１０２  指定情報格納部
１０３、１０３ａ  変更指示受付部
１０４、１０４ａ  変更処理部
１０５  変更検出部
１０６  出力部
１０６ａ  モニタ
１０７  指定情報変更受付部
１０８  指定情報変更処理部
１０９  削除テーブル格納部
【図１】
2009295118.tif 000003
【図２】
2009295118.tif 000004
【図３】
2009295118.tif 000005
【図４】
2009295118.tif 000006
【図５】
2009295118.tif 000007
【図６】
2009295118.tif 000008
【図７】
2009295118.tif 000009
【図８】
2009295118.tif 000010
【図９】
2009295118.tif 000011
【図１０】
2009295118.tif 000012
【図１１】
2009295118.tif 000013
【図１２】
2009295118.tif 000014
【図１３】
2009295118.tif 000015
【図１４】
2009295118.tif 000016
【図１５】
2009295118.tif 000017